(57)【特許請求の範囲】
【請求項１】
空気吹出口を有する前面板と空気吸込口を有する背面板と左側面板と右側面板と天面板と底面板を有する筐体と、前記筐体内の前記空気吸込口と前記空気吹出口を結ぶ空気通路内に配置された熱交換器およびファン装置と、前記左側面板または前記右側面板のいずれか一方の外面に取り付けられた直方体形状の電装品箱とを備えた空気調和機において、
前記電装品箱は電装品箱本体と電装品箱蓋を有し、
前記電装品箱本体は、前記電装品箱の底面となる底板と前記底板の向かい合う二辺から同じ向きに垂直に立設された前記電装品箱の対向する一方の一対の側面となる一対の本体側板を有し、
前記電装品箱蓋は、前記電装品箱の天面となる天板と前記天板の向かい合う二辺から同じ向きに垂直に立設され前記電装品箱の対向する他方の一対の側面となる一対の蓋側板を有し、
前記天板の前記一対の蓋側板が立設されない向かい合う二辺には前記一対の本体側板のそれぞれを外側からガイドするための一対のガイドフランジが設けられ、
前記一対のガイドフランジの先端には前記ガイドフランジを外側に開く方向に折り曲げて形成された傾斜先端部がそれぞれ設けられ、
前記一対の本体側板のいずれか一方の先端部にはケーブルを挿通するためのケーブル挿通部が設けられ、
前記一対のガイドフランジの一方は、前記電装品箱蓋を前記電装品箱本体に取り付けたとき前記ガイドフランジが前記ケーブル挿通部に被さる部分を切除した切除部が設けられていることを特徴とする空気調和機。
【請求項２】
空気吹出口を有する前面板と空気吸込口を有する背面板と左側面板と右側面板と天面板と底面板を有する筐体と、前記筐体内の前記空気吸込口と前記空気吹出口を結ぶ空気通路内に配置された熱交換器およびファン装置と、前記左側面板または前記右側面板のいずれか一方の外面に取り付けられた直方体形状の電装品箱とを備えた空気調和機において、
前記電装品箱は電装品箱本体と電装品箱蓋を有し、
前記電装品箱本体は、前記電装品箱の底面となる底板と前記底板の向かい合う二辺から同じ向きに垂直に立設された前記電装品箱の対向する一方の一対の側面となる一対の本体側板を有し、
前記電装品箱蓋は、前記電装品箱の天面となる天板と前記天板の向かい合う二辺から同じ向きに垂直に立設され前記電装品箱の対向する他方の一対の側面となる一対の蓋側板を有し、
前記天板の前記一対の蓋側板が立設されない向かい合う二辺には前記一対の本体側板のそれぞれを外側からガイドするための一対のガイドフランジが設けられ、
前記一対のガイドフランジの先端には前記ガイドフランジを外側に開く方向に折り曲げて形成された傾斜先端部がそれぞれ設けられ、
前記一対の本体側板のいずれか一方の先端部にはケーブルを挿通するためのケーブル挿通部が設けられ、
前記一対のガイドフランジは、前記電装品箱蓋を前記電装品箱本体に取り付けたとき前記ガイドフランジが前記ケーブル挿通部に被さる部分を切除した切除部が点対称の位置にそれぞれ設けられていることを特徴とする空気調和機。
【請求項３】
請求項１または請求項２に記載の空気調和機において、
前記ケーブル挿通部は、ケーブル挿通孔と前記ケーブル挿通孔にケーブルを挿通しないとき前記ケーブル挿通孔を塞ぐ閉塞部材を有することを特徴とする空気調和機。
【請求項４】
請求項１から請求項３のいずれか１つに記載の空気調和機において、
前記天板の前記一対の蓋側板が設けられている二辺の長さは、対応する前記底板の二辺の長さより前記一対の本体側板のそれぞれの板厚を合計した長さだけ短く形成されていることを特徴とする空気調和機。
【発明の詳細な説明】
【技術分野】
【０００１】
本発明は、電装品箱を有する空気調和機に関する。
【背景技術】
【０００２】
図６に従来の空気調和機の室内機を示す。この室内機は、空気吹出口（図示せず）を有する前面板１０、空気吸込口２１を有する背面板２０、左側面板３０、右側面板４０、天面板（図示せず）、および底面板５０で室内機の筐体１００が形成され、前面板１０の空気吹出口と背面板２０の空気吸込口２１の間の空気通路内にはファン装置６０と熱交換器７０が配置されている。詳しくは、前面板１０の空気吹出口の内側にはファン装置６０が配置され、背面板２０の空気吸込口２１の内側には熱交換器７０が配置されている。そして、左側面板３０の外面に直方体形状の電装品箱８０Ａが取り付けられている。
【０００３】
この電装品箱８０Ａは、左側面板３０に面する底部に電子部品を搭載した基板９０が取り付けられる金属製の電装品箱箱本体８１と、その電装品箱本体８１の開口部分を閉じて直方体を形成する金属製の電装品箱蓋８３とで構成されている。
【０００４】
図７に電装品箱８０Ａの詳細を示す。電装品箱本体８１は、電装品箱８０Ａの底面となり電気部品が搭載された基板９０（図６で図示）が取り付けられる四角形状の底板８１ａと、底板８１ａの向かい合う二辺から同じ向きに垂直に立設された、電装品箱８０Ａの対向する一方の一対の側面となる一対の本体側板８１ｂ，８１ｃを備える。また、その一対の本体側板８１ｂ，８１ｃの折り曲げ部の一方の端の相互間と他方の端の相互間には、電装品箱蓋８２を取り付けるための一対の取付フランジ８１ｄ，８１ｅが設けられている。
【０００５】
電装品箱蓋８３は、電装品箱８０Ａの天面となる四角形状の天板８３ａと、その天板８３ａの向かい合う二辺から同じ向きに垂直に立設され電装品箱８３の対向する他方の一対の側面となる一対の蓋側板８３ｂ、８３ｃを有する。また、天板８３ａの蓋側板８３ｂ，８３ｃが形成されていない向かい合う２辺から蓋側板８３ｂ，８３ｃと同じ方向に本体側板８１ｂ、８１ｃの先端部８１ｂ１、８１ｃ１の板厚分のスペースＳ２が形成されるように直角に折り曲げられて形成されたガイドフランジ８３ｄ，８３ｅと、蓋側板８３ｂの先端部分を外側に折り曲げて形成した取付フランジ８３ｆと、蓋側板８３ｃの先端部分を外側に折り曲げて形成した取付フランジ８３ｇを備える。
【０００６】
そして、電装品箱本体８１の一方の本体側板８１ｂには、取付フランジ８１ｄに寄った側に、電装品箱８０Ａの内部にケーブルを引き込むためのケーブル挿通プレート８４が設けられている。また、電装品箱蓋８３の一方のガイドフランジ８３ｄには、その電装品箱蓋８３を電装品箱本体８１に被せる際にそのケーブル挿通プレート８３を避けるために切除した切除部８３ｄ１が設けられている。なお、電装品箱蓋８３の他方のガイドフランジ８３ｅには切除部は形成されず、蓋側板８３ｂから蓋側板８３ｃにわたって設けられている。
【０００７】
さて、電装品箱蓋８３と電装品箱本体８１により直方体形状の電装品箱８０Ａを組み立てるには、電装品箱本体８１の底板８１ａと本体側板８１ｂ，８１ｃにより電装品箱８０Ａの３面が形成され、電装品箱蓋８３の天板８３ａと蓋側板８３ｂ，８３ｃにより電装品箱８０Ａの残りの３面が形成され、全体で６面の直方体形状となるように、図８に示すように、電装品箱本体８１に電装品箱蓋８３を被せる。
【０００８】
これにより、図９に示すように、電装品箱蓋８３のガイドフランジ８３ｄの内側に電装品箱本体８１の本体側板８１ｂの前端部８１ｂ１がはまり込み、電装品箱蓋８３のガイドフランジ８３ｅの内側に電装品箱本体８１の本体側板８１ｃの前端部８１ｃ１がはまり込む。なお、電装品箱蓋８３の蓋側板８３ｃの切除部８３ｄ１はケーブル挿通プレート８４がある部位に位置する。
【０００９】
以上により、電装品箱蓋８３のガイドフランジ８３ｄ，８３ｅのスペースＳ２内に電装品箱本体８１の前端部８１ｂ１，８１ｃ１が挿入されるので、電装品箱蓋８３は電装品箱本体８１に仮止めされる。
【００１０】
この後は、ねじＡ１（図６参照）によって電装品箱蓋８３の取付フランジ８３ｆを電装品箱本体８１の取付フランジ８１ｄに固着し、ねじＡ２（図６参照）によって電装品箱蓋８３の取付フランジ８３ｇを電装品箱本体８１の取付フランジ８１ｅに固着すれば、電装品箱蓋８３で電装品箱本体８１の開口部分を覆う取り付けが完了する。
【００１１】
以上のようにして電装品箱本体に電装品箱蓋を取り付ける構造については、特許文献１の図１２に記載がある。
【先行技術文献】
【特許文献】
【００１２】
【特許文献１】特開平１１−２３０５６９号公報
【発明の概要】
【発明が解決しようとする課題】
【００１３】
ところが、以上説明した電装品箱８０Ａでは、電装品箱蓋８３のガイドフランジ８３ｄ，８３ｅを電装品箱本体８１の本体側板８１ｂ、８１ｃに対して正確に位置合わせをしなくてはならないので、電装品箱蓋８３を電装品箱本体８１に取り付ける作業が困難であった。このため、図１０に示すように、電装品箱蓋８３のガイドフランジ８３ｄが電装品箱本体８１の本体側板８１ｂの内側に位置したり、図１１に示すように、電装品箱蓋８３のガイドフランジ８３ｅが電装品箱本体８１の本体側板８１ｃの内側に位置することがあった。
【００１４】
これらの場合は、電装品箱本体８１に対する電装品箱蓋８３の取り付けが不良となり、ねじＡ１，Ａ２による締め付けができなくなる。また、たとえ、ねじＡ１，Ａ２による締め付けが可能になるときでも、電装品箱本体８１と電装品箱蓋８３との間には隙間ができるので、電装品箱８０内で電子部品が発火した際に電装品箱の周囲への類焼の恐れが生じる。
【００１５】
ところで、電装品箱蓋８３は、電装品箱本体８１に対して、図７の姿勢で取り付けるほかに、その姿勢を左右反転させた状態でも取り付け可能にした方が、取付作業がし易くなる。しかし、ケーブル挿通プレート８４が電装品箱本体８１の本体側板８１ｂに取り付けられている場合には、ガイドフランジ８３ｅが邪魔となり、電装品箱蓋８３を図７の姿勢から左右反転させた姿勢で電装品箱本体８１に取り付けることができない。
【００１６】
本発明は上記した点にかんがみてなされたもので、その目的は、電装品箱蓋のガイドフランジを電装品箱本体の本体側板に位置合わせする際にこれを正確・簡単に行うことができるようにした電装品箱を備えた空気調和機を提供すること、また、電装品箱蓋を第１の姿勢であるいはその第１の姿勢から左右反転した第２の姿勢でも電装品箱本体に取り付けることができるようにした電装品箱を備えた空気調和機を提供することである。
【課題を解決するための手段】
【００１７】
上記目的を達成するために、請求項１にかかる発明は、空気吹出口を有する前面板と空気吸込口を有する背面板と左側面板と右側面板と天面板と底面板を有する筐体と、前記筐体内の前記空気吸込口と前記空気吹出口を結ぶ空気通路内に配置された熱交換器およびファン装置と、前記左側面板または前記右側面板のいずれか一方の外面に取り付けられた直方体形状の電装品箱とを備えた空気調和機において、前記電装品箱は電装品箱本体と電装品箱蓋を有し、前記電装品箱本体は、前記電装品箱の底面となる底板と前記底板の向かい合う二辺から同じ向きに垂直に立設された前記電装品箱の対向する一方の一対の側面となる一対の本体側板を有し、前記電装品箱蓋は、前記電装品箱の天面となる天板と前記天板の向かい合う二辺から同じ向きに垂直に立設され前記電装品箱の対向する他方の一対の側面となる一対の蓋側板を有し、前記天板の前記一対の蓋側板が立設されない向かい合う二辺には前記一対の本体側板のそれぞれを外側からガイドするための一対のガイドフランジが設けられ、前記一対のガイドフランジの先端には前記ガイドフランジを外側に開く方向に折り曲げて形成された傾斜先端部がそれぞれ設けられ、前記一対の本体側板のいずれか一方の先端部にはケーブルを挿通するためのケーブル挿通部が設けられ、前記一対のガイドフランジの一方は、前記電装品箱蓋を前記電装品箱本体に取り付けたとき前記ガイドフランジが前記ケーブル挿通部に被さる部分を切除した切除部が設けられていることを特徴とする。
【００１８】
請求項２にかかる発明は、空気吹出口を有する前面板と空気吸込口を有する背面板と左側面板と右側面板と天面板と底面板を有する筐体と、前記筐体内の前記空気吸込口と前記空気吹出口を結ぶ空気通路内に配置された熱交換器およびファン装置と、前記左側面板または前記右側面板のいずれか一方の外面に取り付けられた直方体形状の電装品箱とを備えた空気調和機において、前記電装品箱は電装品箱本体と電装品箱蓋を有し、前記電装品箱本体は、前記電装品箱の底面となる底板と前記底板の向かい合う二辺から同じ向きに垂直に立設された前記電装品箱の対向する一方の一対の側面となる一対の本体側板を有し、前記電装品箱蓋は、前記電装品箱の天面となる天板と前記天板の向かい合う二辺から同じ向きに垂直に立設され前記電装品箱の対向する他方の一対の側面となる一対の蓋側板を有し、前記天板の前記一対の蓋側板が立設されない向かい合う二辺には前記一対の本体側板のそれぞれを外側からガイドするための一対のガイドフランジが設けられ、前記一対のガイドフランジの先端には前記ガイドフランジを外側に開く方向に折り曲げて形成された傾斜先端部がそれぞれ設けられ、前記一対の本体側板のいずれか一方の先端部にはケーブルを挿通するためのケーブル挿通部が設けられ、前記一対のガイドフランジは、前記電装品箱蓋を前記電装品箱本体に取り付けたとき前記ガイドフランジが前記ケーブル挿通部に被さる部分を切除した切除部が点対称の位置にそれぞれ設けられていることを特徴とする。
【００１９】
請求項３にかかる発明は、請求項１または請求項２に記載の空気調和機において、前記ケーブル挿通部は、ケーブル挿通孔と前記ケーブル挿通孔にケーブルを挿通しないとき前記ケーブル挿通孔を塞ぐ閉塞部材を有することを特徴とする。
【００２０】
請求項４にかかる発明は、請求項１から請求項３のいずれか１つに記載の空気調和機において、前記天板の前記一対の蓋側板が設けられている二辺の長さは、対応する前記底板の二辺の長さより前記一対の本体側板のそれぞれの板厚を合計した長さだけ短く形成されていることを特徴とする。
【発明の効果】
【００２２】
本発明によれば、電装品箱蓋に設けるガイドフランジが傾斜先端部を有するようにしたので、電装品箱本体の側板の先端部に対するそのガイドフランジのガイド可能範囲が広くなり、電装品箱本体に電装品箱蓋を被せる際の作業を正確・簡単に行うことができる。
【００２３】
また、電装品箱本体に電装品箱蓋が正しく被せられないときは、ガイドフランジの傾斜先端部によって、電装品箱本体に対して電装品箱蓋が大幅にずれて被さることになるので、電装品箱本体を電装品箱蓋で閉じることは不可能になり、電装品箱蓋を被せる作業が誤っていることを容易に判別することができる。
【００２４】
また、第１および第２のガイドフランジは、電装品箱本体のケーブル挿通部に位置する部分を切除した部分を設けることで、電装品箱蓋を電装品箱本体に対して第１の姿勢で取り付けても、あるいはその第１の姿勢から左右反転した第２の姿勢で取り付けても、そのケーブル挿通部を避けることができる。
【図面の簡単な説明】
【００２５】
【図１】本発明の実施例の空気調和機の電装品箱の分解斜視図である。
【図２】本発明の実施例の空気調和機の電装品箱の分解平面図である。
【図３】本発明の実施例の空気調和機の電装品箱の電装品箱本体と電装品箱蓋の正常な結合部分の断面図である。
【図４】本発明の実施例の空気調和機の電装品箱の電装品箱本体と電装品箱蓋の不良な結合部分の断面図である。
【図５】本発明の別の実施例の空気調和機の電装品箱の電装品箱本体と電装品箱蓋の結合部分の断面図である。
【図６】従来の空気調和機の分解斜視図である。
【図７】従来の電装品箱の分解斜視図である。
【図８】従来の電装品箱の分解平面図である。
【図９】従来の電装品箱の電装品箱本体と電装品箱蓋の正常な結合部分の断面図である。
【図１０】従来の電装品箱の電装品箱本体と電装品箱蓋の不良な結合部分の断面図である。
【図１１】従来の電装品箱の電装品箱本体と電装品箱蓋の不良な結合部分の断面図である。
【発明を実施するための形態】
【００２６】
以下、本発明を空気調和機の室内機を例にして説明するが、電装品箱以外については従来構成と同じであるので、ここではその説明は省略する。図１は本発明の１つの実施例の空気調和機の室内機の電装品箱８０を示す図である。この電装品箱８０は、底部に電子部品を搭載した基板９０（図６参照）が取り付けられる金属製の電装品箱箱本体８１と、その電装品箱本体８１の開口部分を閉じる金属製の電装品箱蓋８２とで構成されている。
【００２７】
電装品箱本体８１は、電装品箱８０Ａの底面となり電気部品が搭載された基板９０（図６で図示）が取り付けられる四角形状の底板８１ａと、底板８１ａの向かい合う二辺から同じ向きに垂直に立設された電装品箱８０Ａの対向する一方の一対の側面となる一対の本体側板８１ｂ，８１ｃを備える。また、その一対の本体側板８１ｂ，８１ｃの折り曲げ部の一方（図１では上側）の端の相互間と他方（図１では下側）の端の相互間には、電装品箱蓋８２を取り付けるための第１および第２の取付フランジ８１ｄ，８１ｅが設けられている。
【００２８】
さらに、第１の本体側板８１ｂの先端部８１ｂ１には、取付フランジ８１ｄに寄った側に、電装品箱８０の内部にケーブルを引き込むためのケーブル挿通部を構成するケーブル挿通プレート８４が設けられている。
【００２９】
このケーブル挿通プレート８４はケーブル挿通孔８４ａを備え、そのケーブル挿通孔８４ａには、ケーブル挿通用の例えば＋形状の切り込みが中央部に形成されたゴム製のケーブル閉塞部材８４ｂが装着されている。そして、ケーブルが挿通されていないときは、そのケーブル閉塞部材８４ｂによってそのケーブル挿通孔８４ａが閉じられ、電装品箱８０の内部と外部が遮断されるようになっている。
【００３０】
電装品箱蓋８２は、電装品箱８０の天面となる四角形状の天板８２ａと天板８２ａの向かい合う二辺から同じ向きに垂直に立設され電装品箱８２の対向する他方の一対の側面となる一対の蓋側板８２ｂ、８２ｃを有する。また、天板８２ａの蓋側板８２ｂ，８２ｃが形成されていない向かい合う２辺から蓋側板８２ｂ，８２ｃと同じ方向に折り曲げられて形成されたガイドフランジ８２ｄ，８２ｅと、蓋側板８２ｂの先端部分を外側に折り曲げて形成した取付フランジ８２ｆと、蓋側板８２ｃの先端部分を外側に折り曲げて形成した取付フランジ８２ｇを備える。
【００３１】
ガイドフランジ８２ｄは、天板８２ａの端部８２ａ３から、本体側板８１ｂ，８１ｃの先端部８１ｂ１，８１ｃ１の板厚分のスペースＳ１が形成されるように直角に天板８２ａに連続して伸びる第１の底部８２ｄ１と、その第１の底部８２ｄ１の先端から第１および第２の蓋側板８２ｂ，８２ｃと同じ方向に折り曲げられた立上り部８２ｄ２と、その立上り部８２ｄ２の先端を天板８２ａの側に対して外側に斜めに折り曲げて形成した傾斜先端部８２ｄ３とからなる。そして、ガイドフランジ８２ｄの蓋側板８２ｂに寄った側には、電装品箱蓋８２を電装品箱本体８１に第１の姿勢（図１で示す姿勢）で被せる際にそのケーブル挿通プレート８４を避けるために切除した切除部８２ｄ４が設けられている。この切除部８２ｄ４の長さは、ケーブル挿通プレート８４の図１における上下の長さに対応した長さである。
【００３２】
ガイドフランジ８２ｅは、天板８２ａの端部８２ａ４から、本体側板８１ｂ，８１ｃの先端部８１ｂ１，８１ｃ１の板厚分のスペースＳ１が形成されるように直角に天板８２ａに連続して伸びる第２の底部８２ｅ１と、その第２の底部８２ｅ１の先端から第１および第２の蓋側板８２ｂ，８２ｃと同じ方向に折り曲げられた立上り部８２ｅ２と、その立上り部８２ｅ２の先端を天板８２ａの側に対して外側に斜めに折り曲げて形成した傾斜先端部８２ｅ３とからなる。そして、ガイドフランジ８２ｅの蓋側板８２ｃに寄った側には、電装品箱蓋８２を電装品箱本体８１に前記の第１の姿勢から左右反転させた第２の姿勢で取り付ける際にそのケーブル挿通プレート８４を避けるために切除した切除部８２ｅ４が設けられている。この切除部８２ｅ４の長さは、ケーブル挿通プレート８４の図１における上下の長さに対応した長さである。また、この切除部８２ｅ４は、ガイドフランジ８２ｄの切除部８２ｄ４とは点対称となった位置に設けられている。
【００３３】
なお、電装品箱蓋８２の天板８２ａの一対の蓋側板８２ｂ，８２ｃが設けられている二辺のそれぞれの長さＬ２は、電装品箱本体８１の底板８１ａの本体側板８１ｂ，８１ｃが設けられている二辺のそれぞれの長Ｌ１さよりも、一対の本体側板８１ｂ，８１ｃそれぞれの板厚を合計した長さだけ短く形成されている。
【００３４】
さて、図１に示す第１の姿勢の電装品箱蓋８２によって、電装品箱蓋８２と電装品箱本体８１により直方体形状の電装品箱８０を組み立てるには、電装品箱本体８１の底板８１ａと本体側板８１ｂ，８１ｃで電装品箱８０の３面が形成され、電装品箱蓋８２の天板８２ａと蓋側板８２ｂ，８２ｃで電装品箱８０の残りの３面が形成されて６面の直方体形状となるように、図２に示すように、電装品箱本体８１に電装品箱蓋８２を被せる。
【００３５】
これにより、図３に示すように、電装品箱蓋８２のガイドフランジ８２ｄの内側に電装品箱本体８１の本体側板８１ｂの先端部８１ｂ１がガイドされ、電装品箱蓋８２のガイドフランジ８２ｅの内側に電装品箱本体８１の本体側板８１ｃの先端部８１ｃ１がガイドされる。なお、電装品箱本体８１のケーブル挿通プレート８４は、ガイドフランジ８２ｄの切除部８２ｄ４の部分に位置し、電装品箱本体８１に対する電装品箱蓋８２の取り付けの邪魔とはならない。
【００３６】
このときの電装品箱本体８１に電装品箱蓋８２を押し込む作業では、電装品箱蓋８２のガイドフランジ８２ｄ，８２ｅの傾斜先端部８２ｄ３，８２ｅ３によって、電装品箱本体８１の本体側板８１ｂ，８１ｃの前端部８１ｂ１，８１ｃ１が、電装品箱蓋８２の立上り部８２ｄ２、８２ｅ２の間にガイドされる。よって、電装品箱蓋８２は、電装品箱本体８１の本体側板８１ｂ，８１ｃの前端部８１ｂ１，８１ｃ１に、ガイドフランジ８２ｄ，８２ｅの傾斜先端部８２ｄ３，８２ｅ３が大まかに位置するように合わせてから押し込めばよい。
【００３７】
つまり、ガイドフランジ８２ｄ，８２ｅには、先端傾斜部８２ｄ３，８２ｅ３によって広いガイド範囲が形成されるので、従来の場合のようにガイドフランジ８３ｄ，８３ｅの間に正確に電装品箱本体８１の本体側板８１ｂ，８１ｃの前端部８１ｂ１，８１ｃ１を差し込む必要はなくなり、その作業を正確・簡単に行うことができる。
【００３８】
以上により、電装品箱蓋８２のガイドフランジ８２ｄ，８２ｅの立上り部８２ｄ２，８２ｅ２の内側に電装品箱本体８１の本体側板８１ｂ，８１ｃの前端部８１ｂ１，８１ｃ１が挿入されるので、電装品箱蓋８２は電装品箱本体８１に仮止めされ、この後は、ねじＡ１，Ａ２によって電装品箱蓋８２を電装品箱本体８１に固着すればよい。
【００３９】
なお、電装品箱蓋８２のガイドフランジ８２ｄ，８２ｅが電装品箱本体８１の本体側板８１ｃ，８１ｄの前端部８１ｃ１，８１ｄ１から外れて装着された場合は、図４に示すように、電装品箱蓋８２が電装品箱本体８１から大幅に外れた場合であるので、電装品箱本体８１を電装品箱蓋８２で閉じることは不可能になり、電装品箱蓋８２を被せる作業の誤りを作業員が判別することができる。
【００４０】
また、本実施例の電装品箱蓋８２は、ガイドフランジ８２ｅの側についても切除部８２ｅ４が形成されているので、この電装品箱蓋８２を図１に示した第１の姿勢から左右反転させた第２の姿勢にした状態でも、ケーブル挿通プレート８４の影響を受けることなく、同様に結合して電装品箱本体８１を閉じることができる。
【００４１】
図５は別の例のガイドフランジ８２ｈ，８２ｉを示す図である。このガイドフランジ８２ｈ，８２ｉは、天板８２ａから直接的に斜め外側に折り曲げて傾斜先端部を形成したものであり、前記したガイドフランジ８２ｄ，８２ｅと同様に電装品箱本体８１を閉じる作業が正確・簡単となる。
【００４２】
ただ、この場合は、電装品箱蓋８２の電装品箱本体８１に対する仮止力が不十分となる場合があるので、このときは、ねじＡ１，Ａ２によって電装品箱蓋８２を電装品箱本体８１に固着する際に、電装品箱蓋８２を電装品箱本体８１に対して手で押し付けておく必要がある。
【符号の説明】
【００４３】
１０：前面板、２０：背面板、３０：差側面板、４０：右側面板、５０：底面板、６０：ファン装置、７０：熱交換器、８０，８０Ａ：電装品箱
８１：電装品箱本体、８１ａ：底板、８１ｂ，８１ｃ：本体側板、８１ｂ１，８１ｃ１：前端部、８１ｄ，８１ｅ：取付フランジ
８２：電装品箱蓋、８２ａ：天板、８２ｂ，８２ｃ：蓋側板、８２ｄ，８２ｅ：ガイドフランジ、８２ｄ１，８２ｅ１：底部、８２ｄ２，８２ｅ２：立上り部、８２ｄ３，９２ｅ３：傾斜先端部、８２ｄ４，８２ｅ４：切除部、８２ｆ，８２ｇ：取付フランジ、８２ｈ，８２ｉ：ガイドフランジ
８３：電装品箱蓋、８３ａ：天板、８３ｂ，８３ｃ：蓋側板、８３ｄ，８３ｅ：ガイドフランジ、８３ｄ１：切除部、８３ｆ，８３ｇ：取付フランジ
８４：ケーブル挿通プレート、８４ａ：ケーブル挿通孔、８４ｂ：閉塞部材
【図１】
0006283950.tif 000002
【図２】
0006283950.tif 000003
【図３】
0006283950.tif 000004
【図４】
0006283950.tif 000005
【図５】
0006283950.tif 000006
【図６】
0006283950.tif 000007
【図７】
0006283950.tif 000008
【図８】
0006283950.tif 000009
【図９】
0006283950.tif 000010
【図１０】
0006283950.tif 000011
【図１１】
0006283950.tif 000012